(57)【要約】【課題】外部電源装置の電力供給能力情報を電子機器本体が検出するとともに、その検出信号に基づいて電子機器本体の消費電力を適切に設定することのできる電子機器システムを提供する。【解決手段】外部から電力の供給を受けて動作する電子機器本体２と、電子機器本体２に接続して電力を供給する外部電源装置１４，１５とを備えた電子機器システム１において、前記電子機器本体２は、接続された外部電源装置１４，１５が備える電力供給能力情報を検出する電力供給能力検出手段５と、電力供給能力検出手段５からの能力検出信号に基づいて電子機器本体２の消費電力を設定する消費電力設定手段４とを備えた。【選択図】図１
2004341592.tif 000002
【特許請求の範囲】
【請求項１】
外部から電力の供給を受けて動作する電子機器本体と、当該電子機器本体に接続して電力を供給する外部電源装置とを備えた電子機器システムにおいて、
前記電子機器本体は、接続された前記外部電源装置が備える電力供給能力情報を検出する電力供給能力検出手段と、当該電力供給能力検出手段からの能力検出信号に基づいて前記電子機器本体の消費電力を設定する消費電力設定手段とを備えたことを特徴とする電子機器システム。
【請求項２】
前記電力供給能力検出手段は、前記外部電源装置から供給された電力の電圧垂下特性を検出可能に構成されたことを特徴とする請求項１に記載の電子機器システム。
【請求項３】
複数の前記外部電源装置は、各々の電力供給能力に応じて変更設定された電力供給能力情報を備え、前記電子機器本体が備える前記電力供給能力検出手段により前記電力供給能力情報を検出することを特徴とする請求項１に記載の電子機器システム。
【請求項４】
複数の前記外部電源装置の電力供給能力情報は、インピーダンスが各々変更設定されたインピーダンス回路で構成されたことを特徴とする請求項３に記載の電子機器システム。
【請求項５】
複数の前記外部電源装置の電力供給出力を互いに並列接続可能に構成された電源ステーションをさらに備え、当該電源ステーションを前記電子機器本体に接続し、複数の前記外部電源装置の総合的な電力供給能力を前記電力供給能力検出手段が検出して前記電子機器本体の消費電力が変更設定されることを特徴とする請求項１から４に記載の電子機器システム。
【請求項６】
前記電子機器本体をノートパソコン本体とし、前記外部電源装置をＡＣアダプタまたはバッテリパックとして前記電子機器システムを構成し、  前記消費電力設定手段は、前記ＡＣアダプタまたは前記バッテリパックの電力供給能力が相対的に高い場合に前記ノートパソコン本体を高消費電力モードに設定し、相対的に低い場合に前記ノートパソコン本体を低消費電力モードに設定することを特徴とする請求項１から５に記載の電子機器システム。
【発明の詳細な説明】
【０００１】
【発明の属する技術分野】
本発明は、ＡＣアダプタ等の外部電源装置からの供給電力により動作するノート型パーソナルコンピュータ（以下ノートパソコン）等の電子機器本体への電力供給に関するものであり、特に、電子機器本体に接続される外部電源装置の電力供給能力に応じて、電子機器本体の電力消費量を設定する電子機器システムに関するものである。
【０００２】
【従来の技術】
従来、電力を供給する電子機器システムとしては、特開平５−１８４０６５号公報で開示されている電子機器の電力供給方法が知られており、電源端子を一つに共通化し、ＡＣアダプタ、外部バッテリ、カーバッテリ等の電源電圧を判別し、外部バッテリ等が接続されている場合には、内蔵バッテリの充電を行わないようにして電力を節約するよう構成されている。
【０００３】
図６は、特開平５−１８４０６５号公報に示された従来システムのブロック図である。図６において、５１は電子機器システム、５２はノートパソコン本体、５３は電力供給能力検出部、５４はノートパソコン本体を制御するマイコン（マイクロコンピュータ）、５４ａはマイコン５４の内部に備えられたＡ／Ｄコンバータ、５５は内蔵バッテリ、５５ａ、５５ｂは内蔵バッテリと電力供給能力検出部５３とを接続するバッテリ端子、５６は入力コネクタ、５６ａ、５６ｂは入力コネクタ５６の端子、５７は信号伝送経路、５８は外部より入力コネクタ５６に接続されるＡＣアダプタ、５９は外部バッテリ、６０はカーバッテリ、６１はその他の外部電源装置である。
【０００４】
ノートパソコン本体５２に電力を供給する手段としては、内蔵バッテリ５５、ＡＣアダプタ５８、不図示の大容量型ＡＣアダプタ、外部バッテリ５９、カーバッテリ６０等があり、これらの中で、ＡＣアダプタ５８、外部バッテリ５９、カーバッテリ６０等の外部電源装置の出力コネクタ（不図示）を入力コネクタ５６へ接続して電力を供給している。ＡＣアダプタ５８の場合には、本体パワーセーブ状態および本体パワーオフ状態の時に内蔵バッテリ５５への充電を行っており、大容量ＡＣアダプタの場合には、ノートパソコン本体５２の状態に関係なく内蔵バッテリ５５への充電を行っている。なお、外部バッテリ５９およびカーバッテリ６０を使用している時には、内蔵バッテリ５５への充電を行わない。すなわち、外部に接続され外部電源装置の種類とノートパソコン本体の状態に応じて、内蔵バッテリ５５を充電するかしないかの判断を行うなど、マイコン５４が電力供給先の割り振りを制御している。従って、外部から電力を供給し、内蔵バッテリ５５を充電しない状態であっても、少なくともノートパソコン本体５２を充分に動作可能な電力が外部電源装置から供給される必要がある。
【０００５】
【特許文献１】
特開平５−１８４０６５号公報
【０００６】
【発明が解決しようとする課題】
しかし、上記の電子機器システムには、次のような問題があった。すなわち、近年パソコンに代表される電子機器は、内蔵するマイコンの高性能化が著しく、動作に必要となる電力は増加の一途を辿っている。このため、ＡＣアダプタ５８、外部バッテリ５９等は、供給電力の増加により大型化する傾向にある。例えば、ノートパソコン本体５２とＡＣアダプタ５８との関係を例にとれば、これまでは、ノートパソコン本体５２がＡＣアダプタ５８に要求する電力は、約７５〜８０Ｗであり、ＡＣアダプタ５８の容積は約２００〜２５０ＣＣであった。しかし、近年における要求電力は１５０Ｗを超え、容積も約５００ＣＣ前後となっている。今後、さらにマイコン５４の高性能化に伴う大電力化が進めば、要求される電力が増加することで容積の増加が懸念される。このため、この電力供給システム５１は、ＡＣアダプタ５８、外部バッテリ５９等の大型化により携帯性が損なわれるという問題があった。
【０００７】
また、ＡＣアダプタ５８、外部バッテリ５９，カーバッテリ６０の電力供給能力情報を、ノートパソコン本体５２の電力消費回路側が得る手段が存在しないため、ＡＣアダプタ５８、外部バッテリ５９，カーバッテリ６０の電力供給能力に応じた電力消費の調整ができない。さらに、内蔵バッテリ５５の充電または非充電を制御することはできるが、内蔵バッテリ５５が非充電時、または内蔵バッテリを持たない機器の場合であっても、少なくともノートパソコン本体５２の電力消費部（不図示）が充分に動作できる電力が外部電源装置から供給されなければならず、ＡＣアダプタ５８、外部バッテリ５９等の電力供給能力と容積は、ノートパソコン本体５２の要求電力の上昇に応じて増大する。また、ＡＣアダプタ５８、外部バッテリ５９，カーバッテリ６０等の出力電圧の差異を検出することによってノートパソコン本体５２の消費電力を制御することはできるが、同一電圧の場合には、電力供給能力が異なっても同一処理となってしまい、適切に消費電力を制御することができない。
【０００８】
本発明は、このような従来の技術に存在する課題を解決したものであり、ＡＣアダプタ等の外部電源装置の電力供給能力情報をノートパソコン本体等の電子機器本体が検出するとともに、その検出信号に基づいて電子機器本体の消費電力を適切に設定することのできる電子機器システムを提供することを目的とする。
【０００９】
【課題を解決するための手段】
上記目的を達成すべく請求項１に記載の電子機器システムは、外部から電力の供給を受けて動作する電子機器本体と、当該電子機器本体に接続して電力を供給する外部電源装置とを備えた電子機器システムにおいて、前記電子機器本体は、接続された前記外部電源装置が備える電力供給能力情報を検出する電力供給能力検出手段と、当該電力供給能力検出手段からの能力検出信号に基づいて前記電子機器本体の消費電力を設定する消費電力設定手段とを備えている。
【００１０】
請求項２に記載の電子機器システムは、請求項１に記載の電子機器システムにおいて、前記電力供給能力検出手段は、前記外部電源装置から供給された電力の電圧垂下特性を検出可能に構成されている。
【００１１】
請求項３に記載の電子機器システムは、請求項１に記載の電子機器システムにおいて、複数の前記外部電源装置は、各々の電力供給能力に応じて変更設定された電力供給能力情報を備え、前記電子機器本体が備える前記電力供給能力検出手段により前記電力供給能力情報を検出する。
【００１２】
請求項４に記載の電子機器システムは、請求項３に記載の電子機器システムにおいて、複数の前記外部電源装置の電力供給能力情報は、インピーダンスが各々変更設定されたインピーダンス回路で構成されている。
【００１３】
請求項５に記載の電子機器システムは、請求項１から４に記載の電子機器システムにおいて、複数の前記外部電源装置の電力供給出力を互いに並列接続可能に構成された電源ステーションをさらに備え、当該電源ステーションを前記電子機器本体に接続し、複数の前記外部電源装置の総合的な電力供給能力を前記電力供給能力検出手段が検出して前記電子機器本体の消費電力が変更設定される。
【００１４】
請求項６に記載の電子機器システムは、請求項１から５に記載の電子機器システムにおいて、前記電子機器本体をノートパソコン本体とし、前記外部電源装置をＡＣアダプタまたはバッテリパックとして前記電子機器システムを構成し、  前記消費電力設定手段は、前記ＡＣアダプタまたは前記バッテリパックの電力供給能力が相対的に高い場合に前記ノートパソコン本体を高消費電力モードに設定し、相対的に低い場合に前記ノートパソコン本体を低消費電力モードに設定する。
【００１５】
【発明の実施の形態】
以下、添付図面を参照して、本発明に係る電子機器システムの好適な実施の形態について説明する。なお、従来の電子機器システム５１と同一の構成要素については、同一の符号を付して重複説明を省略する。また、電子機器システム５１と同一の動作についても重複説明を省略する。
【００１６】
まず、本発明に係る電子機器システム１の構成について、図１を参照して説明する。
【００１７】
電子機器システム１において、２は電子機器本体、３は主たる電力を消費して目的の作業を実行する電力消費部、４は電力消費部３の消費電力を変更設定する消費電力設定部、５は外部電源装置の電力供給能力を検出する電力供給能力検出部、６は電子機器本体２が外部電源装置の電力供給能力情報を入力するための能力情報入力コネクタ、７は電子機器本体２が電力供給装置から電力の供給を受けるための電源コネクタ、８は能力情報入力コネクタ６から入力された電力供給能力情報を電力供給能力検出部５へ伝送する伝送経路、９は電力供給能力検出部５の検出結果を消費電力設定部４へ伝送する伝送経路、１０は消費電力設定部４の消費電力設定信号を電力消費部３へ伝送する伝送経路、１１は外部電源の電圧垂下状態を電力供給能力検出部５へ伝送する伝送経路、１２は電源コネクタ７から入力した電力を電力消費部３に伝える伝送経路、１３は電子機器本体２へ接続される外部電源装置の電力供給能力情報を生成し能力情報入力コネクタ６へ伝送する電力供給能力情報生成部、１４は他の電力供給装置と比較して相対的に電力供給能力の大きい大型外部電源装置、１５は他の電力供給装置と比較して相対的に電力供給能力の小さい小型外部電源装置、１６は電力供給能力情報生成部の電力供給能力情報を能力情報入力コネクタ６に伝送する伝送経路、１７は大型外部電源装置１４が出力する電力を電源コネクタ７へ供給する伝送経路、１８は小型外部電源装置１５が出力する電力を電源コネクタ７へ供給する伝送経路である。
【００１８】
また、電力供給能力検出部５は、能力情報入力コネクタ６から伝送経路８を経由して得る電力供給能力情報と、電源コネクタ７から伝送経路１１を経由して得る外部電源の電圧垂下特性とを検出する。さらに、消費電力設定部４は、伝送経路９を経由して電力供給能力検出部５の検出結果を消費電力設定部４に伝送し、消費電力設定信号を伝送経路１０により電力消費部３へ伝送して電力消費部３の消費電力を変更設定する。
【００１９】
図１で示す構成の動作を以下に説明する。大型外部電源装置１４または小型外部電源装置１５を電子機器本体２に接続し、電源コネクタ７を介して電力を供給する。例えば相対的に電力供給能力の小さい小型外部電源装置１５が接続されたとすると、電力供給能力情報生成部１３からは、小型外部電源装置１５の電力供給能力情報が能力情報入力コネクタ６を経由して電力供給能力検出部５に送られる。また、電子機器本体２が能力情報入力コネクタ６を装備しない場合は、外部電源装置が供給する電力の電圧垂下特性を検出することで、大型外部電源装置１４または小型外部電源装置１５の電力供給能力情報を得る。さらに、電力供給能力検出部５は、電力供給能力情報に対応した検出信号を消費電力設定部４へ伝送し、消費電力設定部４は、外部電源装置の電力供給能力範囲内で電子機器本体２が動作できるように、電力消費部３に対し処理速度などの動作性能を制限する設定を行い、適切な消費電力モードに設定する。すなわち、電子機器本体２が要求する可能性のある消費電力を、接続される外部電源装置の電力供給能力に応じて設定することができるため、携帯性の高い小型外部電源装置１５を利用して長時間動作を実現する。
【００２０】
次に、図２に電力供給能力情報の授受形態の一例を示す。図２において、１９は小型外部電源装置１５に内蔵され、電力供給能力に応じて値が変更設定されたインピーダンスであり、抵抗性インピーダンス、容量性インピーダンス、誘導性インピーダンスの単独または組合せにより構成されたものである。ここでは、外部電源装置として相対的電力供給能力の小さい小型外部電源装置１５について示している。
【００２１】
図２の動作を以下に説明する。インピーダンス１９は、小型外部電源装置１５の電力供給能力に応じて値が変更設定されたインピーダンス１９を有している。小型外部電源装置１５が電子機器本体２に接続される際、インピーダンス１９も伝送経路１６と能力情報入力コネクタ６および伝送経路８を経由して電力供給能力情報としてのインピーダンス情報を電力供給能力検出部５に伝える。即ち、個々の外部電源装置が自己の電力供給能力を電子機器本体２に伝える手段を有しており、電子機器本体２と個々の外部電源装置の電力供給能力情報を一対一に対応させて外部電源装置の種類を判別することが可能である。これにより、電力供給能力情報の誤設定や設定作業の複雑化を排除し、簡単かつ確実に電力供給能力の伝達を図ることができる。
【００２２】
次に、図３に外部電源装置を並列に接続した時の電力供給能力情報の伝達形態を示す。図３において、２０は複数の外部電源装置の出力を互いに並列接続する電源ステーション、２１は電力供給能力情報を合成する能力情報合成部である。ここでは電力供給能力情報の合成と伝達の構成のみを示してあり、外部電源装置間の出力電力の合成と伝送経路１８への出力構成については省略してある。
【００２３】
図３の動作を以下に説明する。電源ステーション２０には、電力供給能力情報を示すインピーダンス１９の値をＲとしてこれを内蔵した小型外部電源装置１５が複数接続されている。能力情報合成部２１では、複数の小型外部電源装置１５のインピーダンス１９が並列に接続された構成であり、小型外部電源装置１５の接続台数ｎと能力情報合成部２１で合成されたインピーダンス値Ｒとの関係は以下に表される。
（接続台数）    （合成インピーダンス値（電力供給能力情報））
１                            Ｒ
２                          Ｒ／２
３                          Ｒ／３
・                              ・
・                              ・
ｎ                          Ｒ／ｎ
【００２４】
能力情報合成部２１で合成された電源ステーション２０としての電力供給能力情報は、伝送経路１６を経由して能力情報入力端子６よりシステム本体２に与えられ、電力消費部３の消費電力を変更設定する。すなわち、小型外部電源装置１５の並列接続台数に応じた電力供給能力情報を電子機器本体２に伝達することができるため、電子機器本体２の最大消費電力に変更が生じた場合であっても、専用の外部電源装置を用意することなく電子機器本体２の最大消費電力が供給できるため、経済的かつ効率的である。
【００２５】
次に、図４に電力供給能力情報に対する電子機器本体２の消費電力設定の一例を示す。図４は図３の実施例の特性を示したものである。図３の電源ステーション２０において、並列接続されている小型外部電源装置１５の１台の電力供給能力情報を示すインピーダンス１９の値をＲとする。また電源ステーション２０に装着可能な小型外部電源装置１５の最大個数を５台とし、小型外部電源装置１５の並列接続台数と電源ステーション２０が伝達する総合電力供給能力情報（インピーダンス値）と電子機器本体２の消費電力の設定状態との関係が、以下に表すように設計されているものとする。なお、小型外部電源装置１５は、これらを５台接続した場合、電子機器本体２の最大消費電力を１００％供給する電力供給能力があるものとする。これにより電子機器本体２の能力レベルは、電源ステーション２０の電力供給能力によって変更設定されることになる。
（接続台数）（電力供給能力情報）      （電力消費部の設定状態）
１              Ｒ          ２０％電力で動作できる能力レベルに設定
２            Ｒ／２        ４０％電力で動作できる能力レベルに設定
３            Ｒ／３        ６０％電力で動作できる能力レベルに設定
４            Ｒ／４        ８０％電力で動作できる能力レベルに設定
５            Ｒ／５                  １００％電力で動作できる能力レベルに設定
【００２６】
次に、図５に本発明の別の実施形態を示す機能ブロック図を示す。図５において、３１はＡＣアダプタ４４とノートパソコン本体３２を含む電子機器システム、３は演算処理部、記憶部、表示部などを含む電力消費部、３３は外部から入力された電源を目的の電圧にＤＣ／ＤＣ変換する内部電圧変換部、３４は内蔵バッテリ、３５は入力コネクタ、３５ａ、３５ｂ、３５ｃは入力コネクタ３５の端子、３６はノートパソコン本体３２のグランド、３７はＡＣアダプタ４３の電力供給能力情報を電力供給能力検出部５に伝送する伝送経路、３８は電力供給能力検出部５の出力信号を消費電力設定部４に伝送する伝送経路、３９は消費電力設定部４の消費電力モード設定信号を電力消費部３に伝送する伝送経路、４０は内蔵バッテリ３４の充電または非充電を設定するための信号を内部電圧変換部３３に伝送する伝送経路、４１は内部電圧変換部３３に電力を供給する電力供給経路、４２は内蔵バッテリ３４に対して充電または放電を行う充放電経路、４３は電力消費部３に対して内部電圧変換部３３からの出力電力を供給する供給経路、４５はＡＣアダプタ４４の入力ケーブル、４６はＡＣアダプタ４４の出力ケーブル、４７はＡＣアダプタ４４の出力コネクタ、４７ａはＡＣアダプタ４４のグランドレベルを出力する端子、４７ｂはＡＣアダプタ４４の電力供給能力情報を伝える端子、４７ｃは電源端子である。
【００２７】
図５の動作を以下に説明する。入力ケーブル４５を不図示の商用電源に接続すると、ＡＣアダプタ４４は電力供給を開始し、端子４７ｃからノートパソコン本体３２へ電力が供給される。ＡＣアダプタ４４の出力コネクタ４７が入力コネクタ３５へ接続されると、端子３５ｂを介してＡＣアダプタ４４の電力供給能力情報が、ノートパソコン本体３２の電力供給能力検出部５へ伝送経路３７を経由して伝送される。電力供給能力検出部５は伝送経路３７より得た電力供給能力情報を受け、内部のＡ／Ｄ変換器等を用いて能力情報信号に変換し、消費電力設定部４に伝送する。消費電力設定部４は伝送経路３８より得た能力情報信号を基に、演算速度、表示部輝度、機能制限等に係る消費電力モードを選択し、このモードに従った動作となるように電力消費部３を設定する。さらに、現在の電力供給能力で電力消費部３を動作させるとともに、内蔵バッテリ３４への充電も可能か否かを判断し、状況に応じて内蔵バッテリ３４の充電または非充電を制御する指令を伝送経路４０により内部電圧変換部３３へ送出する。内部電圧変換部３３は消費電力設定部４からの指令に基づいて内蔵バッテリ３４の充電または非充電を制御するとともに、端子３５ｃからの電源を電力消費部３の中の各部が必要とする電圧に変換して電力を供給する。すなわち、ＡＣアダプタ４４の電力供給能力に応じてノートパソコン本体３２の消費電力が適切に設定されるため、相対的に電力供給能力の小さい小型のＡＣアダプタであっても、ノートパソコン本体３２を動作させることが可能となり、小型ＡＣアダプタとノートパソコン本体との組み合わせにより携帯性を高めることができる。
【００２８】
なお、本発明は、前述した実施の形態に示した構成に限定されない。例えば、図１の実施の形態において、能力情報入力コネクタ６と電源コネクタ７は個別に配置しても良いし、共通のコネクタ内にそれぞれの電極が割り当てられても良い。また、１つの端子で電源と信号の両方を伝送する共通端子として配置しても良い。さらに、図３において、電源ステーション２０内の複数の外部電源装置は、大型外部電源装置１４であっても良いし、小型外部電源装置１５との混合であっても良い。
【００２９】
【発明の効果】
以上のように請求項１に記載の電子機器システムによれば、外部から電力の供給を受けて動作する電子機器本体と、電子機器本体に接続して電力を供給する外部電源装置とを備えた電子機器システムにおいて、電子機器本体は、接続された外部電源装置が備える電力供給能力情報を検出する電力供給能力検出手段と、電力供給能力検出手段からの能力検出信号に基づいて電子機器本体の消費電力を設定する消費電力設定手段とを備えたことにより、電子機器本体が要求する可能性のある消費電力を、接続される外部電源装置の電力供給能力に応じて設定することができるため、携帯性の高い小型外部電源装置を利用して長時間動作を実現できるとともに、電子機器本体の最大消費電力に変更が生じた場合であっても、専用の外部電源装置を用意することなく電子機器本体の最大消費電力を供給することができることで経済的かつ効率的である。
【００３０】
また、請求項２に記載の電子機器システムによれば、電力供給能力検出手段は、外部電源装置から供給された電力の電圧垂下特性を検出可能に構成されたことにより、特別な電力供給能力情報設定手段を設けることなく電子機器本体の消費電力を適切に設定することのできる。
【００３１】
また、請求項３に記載の電子機器システムによれば、複数の外部電源装置は、各々の電力供給能力に応じて変更設定された電力供給能力情報を備え、電子機器本体が備える電力供給能力検出手段により電力供給能力情報を検出することにより、個々の外部電源装置が自己の電力供給能力を電子機器本体に伝える手段を有していることで電子機器本体と個々の外部電源装置の電力供給能力情報を一対一に対応させて外部電源装置の種類を判別することができる。これにより、電力供給能力情報の誤設定や設定作業の複雑化を排除し、簡単かつ確実な電力供給能力伝達を図ることができる。
【００３２】
また、請求項４に記載の電子機器システムによれば、複数の外部電源装置の電力供給能力情報は、インピーダンスが各々変更設定されたインピーダンス回路で構成されたことにより、省スペースかつ低価格を実現できる。
【００３３】
また、請求項５に記載の電子機器システムによれば、複数の外部電源装置の電力供給出力を互いに並列接続可能に構成された電源ステーションをさらに備え、電源ステーションを電子機器本体に接続し、複数の外部電源装置の総合的な電力供給能力を電力供給能力検出手段が検出して電子機器本体の消費電力が変更設定されることにより、外部電源装置の並列接続台数に応じた電力供給能力情報を電子機器本体に伝達することができるため、電子機器本体２の最大消費電力に変更が生じた場合であっても専用の外部電源装置を用意することなく電子機器本体の最大消費電力が供給できることで経済的かつ効率的である。
【００３４】
また、請求項６に記載の電子機器システムによれば、電子機器本体をノートパソコン本体とし、外部電源装置をＡＣアダプタまたはバッテリパックとして電子機器システムを構成し、消費電力設定手段は、ＡＣアダプタまたはバッテリパックの電力供給能力が相対的に高い場合にノートパソコン本体を高消費電力モードに設定し、相対的に低い場合にノートパソコン本体を低消費電力モードに設定することにより、ＡＣアダプタの電力供給能力によりノートパソコン本体の消費電力が適切に設定されるため、相対的に電力供給能力が小さい小型のＡＣアダプタであっても、ノートパソコン本体を動作させることが可能となり、移動しやすい小型のＡＣアダプタとノートパソコン本体との組み合わせによって携帯性を高めることができる。
【図面の簡単な説明】
【図１】本発明に係る電子機器システム１の機能ブロック図である。
【図２】本発明に係る電力供給能力情報の伝達形態を示す機能ブロック図である。
【図３】本発明に係る外部電源装置を並列接続した場合の電力供給能力情報の伝達形態を示す機能ブロック図である。
【図４】本発明に係る電力供給能力情報と電子機器本体消費電力設定との関係を示す図である。
【図５】本発明に係る変更実施形態の電子機器システム３１の機能ブロック図である。
【図６】従来の電子機器システム５１の機能ブロック図である。
【符号の説明】
１  電子機器システム
２  電子機器本体
３  電力消費部
４  消費電力設定部
５  電力供給能力検出部
６  能力情報入力コネクタ
７  電源コネクタ
８，９，１０，１１，１２  伝送経路
１３  電力供給能力情報生成部
１４  大型外部電源装置
１５  小型外部電源装置
１６，１７，１８  伝送経路
１９  インピーダンス
２０  電源ステーション
２１  能力情報合成部
３１  電子機器システム
３２  ノートパソコン本体
３３  内部電圧変換部
３４  内蔵バッテリ
３５  入力コネクタ
３５ａ，３５ｂ，３５ｃ  端子
３６  グランド
３７，３８，３９，４０，４１，４２，４３  伝送経路
４４  ＡＣアダプタ
４５  入力ケーブル
４６  出力ケーブル
４６ａ，４６ｂ，４６ｃ  端子
４７  出力コネクタ
４７ａ，４７ｂ，４７ｃ  端子
５１  電子機器システム
５２  ノートパソコン本体
５３  電力供給能力検出部
５４  マイコン
５４ａ  Ａ／Ｄ変換器
５５  内蔵バッテリ
５５ａ，５５ｂ  バッテリ端子
５６  入力コネクタ
５６ａ，５６ｂ  端子
５７  伝送経路
５８  ＡＣアダプタ
５９  外部バッテリ
６０  カーバッテリ
６１  ｅｔｃ
【図１】
2004341592.tif 000003
【図２】
2004341592.tif 000004
【図３】
2004341592.tif 000005
【図４】
2004341592.tif 000006
【図５】
2004341592.tif 000007
【図６】
2004341592.tif 000008